(57)【要約】【課題】グリップ長を握りに十分な程度に確保しつつ、全高を低く抑えることができるとともに、操作パネル２３を外力から有効に保護する。【解決手段】電動モータ５と、該電動モータ５によって駆動される作動機構とを設けた工具本体の下部にグリップ２を設け、グリップ２の下部に電動モータ５に電力を供給する充電池４を着脱可能に装着する充電池装着部２ａを設けた電動工具において、充電池装着部２ａの前部をグリップ２の前方に張出すように設け、この張り出し部１５の上面で、グリップ２との基部の近傍に、下方に凹む凹陥部１８を形成し、この凹陥部１８の底面に操作パネル２３を設けた。【選択図】図１
2011115919.tif 000002
【特許請求の範囲】
【請求項１】
電動モータと、該電動モータによって駆動される作動機構とを設けた工具本体の下部にグリップ２を設け、グリップ２の下部に上記電動モータに電力を供給する充電池を着脱可能に装着する充電池装着部２ａを設けた電動工具において、
上記充電池装着部２ａの前部を上記グリップ２の前方に張出すように設け、この張り出し部１５の上面で、上記グリップ２との基部の近傍には、下方に凹む凹陥部１８を形成し、この凹陥部１８の底面に操作パネル２３を設けたことを特徴とする電動工具。
【請求項２】
上記凹陥部１８の後部は上記グリップ２の基部の前面部に連続するように形成されていることを特徴とする、請求項１に記載の電動工具。
【請求項３】
上記凹陥部１８は、上記グリップ２を握った使用者の手の小指１３ｄが当る部位に形成されていることを特徴とする、請求項１又は２に記載の電動工具。
【発明の詳細な説明】
【技術分野】
【０００１】
本発明は、グリップの下部に充電池を搭載した電動工具に関する。
【背景技術】
【０００２】
一般に、インパクトドライバ等の電動工具には充電池が備えられ、そこから供給された電力によってモータ及び回転打撃機構を作動させ、ネジの締め込み等を行っている。
【０００３】
ところが、最近は工具本体にはモータのオンオフ、回転力の調整、作業スポット用照明ライトの調整等、多機能化が進み、それに伴ってスイッチボタンが増えている。例えば、ライトの点灯・消灯用スイッチ、充電池残量の表示スイッチ、充電池残量の表示パネルや打撃力の切り替え表示部などである。これらのスイッチボタンを備えた操作パネルは、通常は工具本体下部のグリップの基部から前方に張り出すように設けられた充電池装着部の上面に配置される（特許文献１、２参照）。工具本体の内部にはモータや回転打撃機構が設けられているので、余分なスペースはなく、グリップには操作性や取り扱い性の上から設けにくい。これに対し、充電池装着部の上面にはライトを設けてもなおスペースがあるので、操作パネルを設けるには最も適しているからである。
【先行技術文献】
【特許文献】
【０００４】
【特許文献１】特開２００５−１４４５６４号公報
【特許文献２】特開２００８−２７９５６４号公報
【発明の概要】
【発明が解決しようとする課題】
【０００５】
しかしながら、充電池装着部の上面に操作パネルを配置すると、グリップを握ったときに、手の小指がスイッチボタンに接触しやすくなる。このため、グリップ長を長くせざるを得ない。ところが、グリップを長くすると、工具の全高が大きくなり、大型化せざるを得ないという問題がある。
【０００６】
また、充電池装着部の上面に単純に操作パネルが配置される構成では、外力が作用しやすく、不測の原因で操作パネルが破損して故障する可能性がある。
【０００７】
本発明は上記問題点を解消し、グリップ長を握りに十分な程度に確保しつつ、全高を低く抑えることができるとともに、操作パネルを外力から有効に保護することができる電動工具を提供することをその課題とする。
【課題を解決するための手段】
【０００８】
上記課題を解決するため、請求項１に係る発明は、電動モータと、該電動モータによって駆動される作動機構とを設けた工具本体の下部にグリップを設け、グリップの下部に上記電動モータに電力を供給する充電池を着脱可能に装着する充電池装着部を設けた電動工具において、上記充電池装着部の前部を上記グリップの前方に張出すように設け、この張り出し部の上面で、上記グリップとの基部の近傍には、下方に凹む凹陥部を形成し、この凹陥部の底面に操作パネルを設けたことを特徴とする。
【０００９】
請求項２に係る発明は、請求項１において、上記凹陥部の後部は上記グリップの基部の前面部に連続するように形成されていることを特徴とする。
【００１０】
請求項３に係る発明は、請求項１又は２において、上記凹陥部は、上記グリップを握った使用者の手の小指が当る部位に形成されていることを特徴とする。
【発明の効果】
【００１１】
請求項１に係る発明によれば、充電池装着部の前部を上記グリップの前方に張出すように設け、この張り出し部の上面で、上記グリップとの基部の近傍には、下方に凹む凹陥部を形成し、この凹陥部の底面に操作パネルを設けた構成であるから、充電池装着部に操作パネルを設けた状態でも、グリップ長を握り込みに十分な程度に確保しつつ、全高を低く抑えることができるとともに、作業中に電動工具を落下させたり、他の部材に当ったり等の不測の外力が加わっても、凹陥部の底部にまでは及びにくいので、操作パネルを有効に保護することができる。
【００１２】
請求項２に係る発明によれば、凹陥部の後部は上記グリップの基部の前面部に連続するように形成されているから、使用者の手の小指が当っても違和感がなく、操作性は損なわれない。
【００１３】
請求項３に係る発明によれば、凹陥部は、上記グリップを握った使用者の手の小指が当る部位に形成されているから、小指が充電池装着部に接触するのを防止することができる。したがって、充電池装着部に操作パネルを設けた状態でも、円滑に作業をすることができる。
【図面の簡単な説明】
【００１４】
【図１】本発明の実施形態であるインパクトドライバの一部を断面で示した斜視図
【図２】グリップを握りこんだ状態を簡略に示した上記インパクトドライバの側面図
【図３】充電池装着部の拡大断面図
【図４】充電池装着部の斜視図
【発明を実施するための形態】
【００１５】
本発明の実施形態をインパクトドライバについて説明する。図１はインパク
トドライバの一部を断面で示した斜視図で、同図において符号１はドライバ本体（工具本体）を示す。ドライバ本体１の下部にはグリップ２が形成され、グリップ２にはトリガ３が配置されている。グリップ２の下部には充電池装着部２ａが形成され、この充電池装着部２ａには充電池パック４が着脱自在に設けられている。
【００１６】
ドライバ本体１は筒状に形成され、前部のモータ部１ａと後部の動力伝達部１ｂとから構成されている。
【００１７】
モータ部１ａには、動力伝達部１ｂの動力源として回転力を供給する電動モータ（ＤＣブラシレスモータ）５が設けられている。
【００１８】
動力伝達部１ｂの内部には、電動モータ５の回転軸６と同軸上に、後ろ側から順に遊星歯車機構７、スピンドル８、打撃機構９及びアンビル１０が直列に設けられている。アンビル１０の先端部にはドライバビット（図示せず）が装着可能になっている。これにより、電動モータ５の回転が遊星歯車機構７によって減速回転されてスピンドル８に伝達され、さらにスピンドル８の回転がハンマー１１や圧縮バネ１２等から構成されて打撃力を発生させる打撃機構９によって回転打撃力に変換され、この回転打撃力が、ハウジングに回転自在に支持されたアンビル１０に伝えられる。このような動力伝達部１ｂの構造は公知である。
【００１９】
次に、グリップ２は上部の周長よりも下部の周長を小さくして人の手で握りやすい形状になっており、図２の表側に親指（図示せず）を当て、裏側から４本の指を当てて握りこむ際に、トリガ３に人差し指１３ａがかかり、グリップ２に中指１３ｂ、薬指１３ｃ及び小指１３ｄがかかる程度のグリップ長が確保されている。
【００２０】
充電池装着部２ａの前部は上記グリップ２の前方に張出すように設けられている。そして、図２及び図３に示されるように、この張り出し部１５の前部中央にはＬＥＤ（発光ダイオード）ライト１６の収納部１７が設けられている。ライト収納部１７は張り出し部１５の表面から盛り上がるように突出形成され、その前端開口部は斜め上方に向けられ、ＬＥＤライト１６がドライバビットの先端近傍を照射するように設けられている。
【００２１】
ライト収納部１７の後側とグリップ２前部との間には、グリップ２を握った使用者の手の小指１３ｄが当る部位に、凹陥部１８が形成されている。すなわち、凹陥部１８は張り出し部１５の上面から下方に落ち込み、凹陥部１８の前壁２０はライト収納部１７の後部に連続し、凹陥部１８の後壁２１はグリップ２の基部の前面下部２ｂに連続するように形成されている。しかし、左右両側部２２は張り出し部１５の上面よりわずかに高くなるように形成されて連続している。使用者がグリップ２を握り込むときは、親指を除き、人差し指１３ａはトリガ３にかかる部位に当てられ、グリップ２本体には中指１３ｂと薬指１３ｃと小指１３ｄが当てられるが、小指１３ｄの外側部が当る部位には凹陥部１８が形成され、しかも、凹陥部１８の左右両側は張り出し部１５の上面とほぼ面一に連続しているから、小指１３ｄに接触しないか、接触しても小指１３ｄを支えることになるから、操作性は損なわれない。
【００２２】
凹陥部１８の底部には操作パネル２３が設けられている。操作パネル２３にはライトの点灯・消灯用スイッチ２４、充電池残量の表示部２５、増し締め表示部２６、打撃力の切り替え表示部２７、打撃力切り替えスイッチ２８などが設けられている。
【００２３】
このように、凹陥部１８は、上記グリップ２を握った使用者の手の小指１３ｄが当る部位に形成されているから、小指１３ｄが張り出し部１５に直接に接触するのを防止することができ、充電池装着部２ａに操作パネル２３を設けた状態でも、円滑に作業をすることができる。また、操作パネル２３は凹陥部１８の底部に設けられているので、作業中にインパクトドライバを落下させたり、他の部材に当ったり等の不測の外力が加わっても、凹陥部１８の底部にまでは及びにくいので、操作パネル２３を有効に保護することができる。また、凹陥部１８の後部は上記グリップ２の基部の前面部に連続するように形成されているから、使用者の手の小指１３ｄが当っても違和感がなく、操作性は損なわれない。
【００２４】
上述のように、充電池装着部２ａの上部にＬＥＤライト１６や操作パネル２３を設けた場合、充電池装着部２ａにはＬＥＤライト１６や操作パネル２３分の厚みが増すほか、グリップ２を握った使用者の小指１３ｄが操作パネル２３に接触しないようにしなければならないので、必然的にグリップ２を長くする必要がある。しかし、充電池装着部２ａの上面の小指１３ｄが当る部位に凹陥部１８を形成したことにより、小指１３ｄが充電池装着部２ａに接触するのを防止することができる。したがって、充電池装着部２ａに操作パネル２３を設けた状態でも、グリップ長を握り込みに十分な程度に確保しつつ、操作性が損なわれず、また全高を低く抑えることができるとともに、操作パネル２３を外力から有効に保護することができる。
【００２５】
なお、上記凹陥部はインパクトドライバに限定されない。グリップと充電池を備えた他の電動工具に適用することができる。
【符号の説明】
【００２６】
１    ドライバ本体（工具本体）
２    グリップ
２ａ  充電池装着部
３    トリガ
４    充電池パック（充電池）
５    電動モータ
１３ｄ  小指
１５  張り出し部
１８  凹陥部
【図１】
2011115919.tif 000003
【図２】
2011115919.tif 000004
【図３】
2011115919.tif 000005
【図４】
2011115919.tif 000006